【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
第１のロケーションソリューションに従ってユーザ機器（ＵＥ）のロケーションをサポートするための、ワイヤレスコアネットワーク中の第１のネットワークノードにおける方法であって、
前記ＵＥのための緊急呼のハンドオーバの第１のインジケーションを受信することと、ここにおいて、前記ハンドオーバが、前記ワイヤレスコアネットワーク中の第２のネットワークノードへのまたはそこからのものであり、ここにおいて、前記第２のネットワークノードが、前記第１のロケーションソリューションとは異なる第２のロケーションソリューションに従って前記ＵＥのロケーションをサポートする、
前記ワイヤレスコアネットワーク中の第３のネットワークノードに前記緊急呼の前記ハンドオーバの第２のインジケーションを送ることと、ここにおいて、前記第３のネットワークノードが前記第１のロケーションソリューションをサポートする、ここにおいて、前記緊急呼の前記ハンドオーバの前記第２のインジケーションが、前記第１のロケーションソリューションおよび前記第２のロケーションソリューションをサポートする、
を備える、方法。
【請求項２】
前記ワイヤレスコアネットワークが第５世代コアネットワーク（５ＧＣＮ）である、請求項１に記載の方法。
【請求項３】
前記第１のネットワークノードが、アクセスおよびモビリティ管理機能（ＡＭＦ）またはロケーション管理機能（ＬＭＦ）である、請求項２に記載の方法。
【請求項４】
前記第２のネットワークノードがＡＭＦである、請求項３に記載の方法。
【請求項５】
前記第３のネットワークノードが、ゲートウェイモバイルロケーションセンター（ＧＭＬＣ）またはＬＭＦである、請求項４に記載の方法。
【請求項６】
前記第１のネットワークノードがＡＭＦであり、ここにおいて、前記第３のネットワークノードがＬＭＦであり、ここにおいて、前記ハンドオーバが前記第２のネットワークノードへのものであり、
前記ハンドオーバの前記第１のインジケーションを次世代無線アクセスネットワーク（ＮＧ−ＲＡＮ）から受信することと、
前記第２のネットワークノードへの前記緊急呼の前記ハンドオーバを実施することとをさらに備える、請求項５に記載の方法。
【請求項７】
前記第１のネットワークノードがＡＭＦであり、ここにおいて、前記ハンドオーバが前記第２のネットワークノードからのものであり、
ハンドオーバの前記第１のインジケーションを前記第２のネットワークノードから受信すること
をさらに備える、請求項５に記載の方法。
【請求項８】
前記第１のネットワークノードがＬＭＦであり、ここにおいて、前記第３のネットワークノードがＧＭＬＣであり、ここにおいて、前記ハンドオーバが前記第２のネットワークノードからのものであり、
前記ハンドオーバの前記第１のインジケーションを第４のネットワークノードから受信すること、ここにおいて、前記第４のネットワークノードがＡＭＦであり、ここにおいて、前記第４のネットワークノードが前記第１のロケーションソリューションをサポートし、ここにおいて、前記ハンドオーバが前記第２のネットワークノードから前記第４のネットワークノードへ実施される、
をさらに備える、請求項５に記載の方法。
【請求項９】
第１のロケーションソリューションに従ってユーザ機器（ＵＥ）のロケーションをサポートするための、ワイヤレスコアネットワーク中の第１のネットワークノードであって、前記第１のネットワークノードは、
前記ワイヤレスコアネットワーク中のノードと通信するように構成された外部インターフェースと、
命令を記憶するためのメモリと、
前記外部インターフェースと前記メモリとに結合され、前記ＵＥのための緊急呼のハンドオーバの第１のインジケーションを受信することと、ここにおいて、前記ハンドオーバが、前記ワイヤレスコアネットワーク中の第２のネットワークノードへのまたはそこからのものであり、ここにおいて、前記第２のネットワークノードが、前記第１のロケーションソリューションとは異なる第２のロケーションソリューションに従って前記ＵＥのロケーションをサポートする、前記ワイヤレスコアネットワーク中の第３のネットワークノードに前記緊急呼の前記ハンドオーバの第２のインジケーションを送ることと、ここにおいて、前記第３のネットワークノードが、前記第１のロケーションソリューションをサポートする、ここにおいて、前記緊急呼の前記ハンドオーバの前記第２のインジケーションが、前記第１のロケーションソリューションおよび前記第２のロケーションソリューションをサポートする、を行うように構成された、少なくとも１つのプロセッサと
を備える、第１のネットワークノード。
【請求項１０】
前記ワイヤレスコアネットワークが第５世代コアネットワーク（５ＧＣＮ）である、請求項９に記載の第１のネットワークノード。
【請求項１１】
前記第１のネットワークノードが、アクセスおよびモビリティ管理機能（ＡＭＦ）またはロケーション管理機能（ＬＭＦ）である、請求項１０に記載の第１のネットワークノード。
【請求項１２】
前記第２のネットワークノードがＡＭＦである、請求項１１に記載の第１のネットワークノード。
【請求項１３】
前記第３のネットワークノードが、ゲートウェイモバイルロケーションセンター（ＧＭＬＣ）またはＬＭＦである、請求項１２に記載の第１のネットワークノード。
【請求項１４】
前記第１のネットワークノードがＡＭＦであり、ここにおいて、前記第３のネットワークノードがＬＭＦであり、ここにおいて、前記ハンドオーバが前記第２のネットワークノードへのものであり、前記ハンドオーバの前記第１のインジケーションが次世代無線アクセスネットワーク（ＮＧ−ＲＡＮ）から受信され、前記少なくとも１つのプロセッサが、前記第２のネットワークノードへの前記緊急呼の前記ハンドオーバを実施するようにさらに構成された、請求項１３に記載の第１のネットワークノード。
【請求項１５】
前記第１のネットワークノードがＡＭＦであり、ここにおいて、前記ハンドオーバが前記第２のネットワークノードからのものであり、ハンドオーバの前記第１のインジケーションが前記第２のネットワークノードから受信される、請求項１３に記載の第１のネットワークノード。
【請求項１６】
前記第１のネットワークノードがＬＭＦであり、ここにおいて、前記第３のネットワークノードがＧＭＬＣであり、ここにおいて、前記ハンドオーバが前記第２のネットワークノードからのものであり、前記ハンドオーバの前記第１のインジケーションが第４のネットワークノードから受信され、ここにおいて、前記第４のネットワークノードがＡＭＦであり、ここにおいて、前記第４のネットワークノードが前記第１のロケーションソリューションをサポートし、ここにおいて、前記ハンドオーバが前記第２のネットワークノードから前記第４のネットワークノードへ実施される、請求項１３に記載の第１のネットワークノード。
【請求項１７】
第１のロケーションソリューションに従ってユーザ機器（ＵＥ）のロケーションをサポートするための、ワイヤレスコアネットワーク中の第１のネットワークノードであって、前記第１のネットワークノードは、
前記ＵＥのための緊急呼のハンドオーバの第１のインジケーションを受信するための手段と、ここにおいて、前記ハンドオーバが、前記ワイヤレスコアネットワーク中の第２のネットワークノードへのまたはそこからのものであり、ここにおいて、前記第２のネットワークノードが、前記第１のロケーションソリューションとは異なる第２のロケーションソリューションに従って前記ＵＥのロケーションをサポートする、
前記ワイヤレスコアネットワーク中の第３のネットワークノードに前記緊急呼の前記ハンドオーバの第２のインジケーションを送るための手段と、ここにおいて、前記第３のネットワークノードが前記第１のロケーションソリューションをサポートする、ここにおいて、前記緊急呼の前記ハンドオーバの前記第２のインジケーションが、前記第１のロケーションソリューションおよび前記第２のロケーションソリューションをサポートする、
を備える、第１のネットワークノード。
【請求項１８】
前記ワイヤレスコアネットワークが第５世代コアネットワーク（５ＧＣＮ）である、請求項１７に記載の第１のネットワークノード。
【請求項１９】
前記第１のネットワークノードが、アクセスおよびモビリティ管理機能（ＡＭＦ）またはロケーション管理機能（ＬＭＦ）である、請求項１８に記載の第１のネットワークノード。
【請求項２０】
前記第２のネットワークノードがＡＭＦである、請求項１９に記載の第１のネットワークノード。
【請求項２１】
前記第３のネットワークノードが、ゲートウェイモバイルロケーションセンター（ＧＭＬＣ）またはＬＭＦである、請求項２０に記載の第１のネットワークノード。
【請求項２２】
前記第１のネットワークノードがＡＭＦであり、ここにおいて、前記第３のネットワークノードがＬＭＦであり、ここにおいて、前記ハンドオーバが前記第２のネットワークノードへのものであり、
前記ハンドオーバの前記第１のインジケーションを次世代無線アクセスネットワーク（ＮＧ−ＲＡＮ）から受信するための手段と、
前記第２のネットワークノードへの前記緊急呼の前記ハンドオーバを実施するための手段と
をさらに備える、請求項２１に記載の第１のネットワークノード。
【請求項２３】
前記第１のネットワークノードがＡＭＦであり、ここにおいて、前記ハンドオーバが前記第２のネットワークノードからのものであり、
ハンドオーバの前記第１のインジケーションを前記第２のネットワークノードから受信するための手段
をさらに備える、請求項２１に記載の第１のネットワークノード。
【請求項２４】
前記第１のネットワークノードがＬＭＦであり、ここにおいて、前記第３のネットワークノードがＧＭＬＣであり、ここにおいて、前記ハンドオーバが前記第２のネットワークノードからのものであり、
前記ハンドオーバの前記第１のインジケーションを第４のネットワークノードから受信するための手段、ここにおいて、前記第４のネットワークノードがＡＭＦであり、ここにおいて、前記第４のネットワークノードが前記第１のロケーションソリューションをサポートし、ここにおいて、前記ハンドオーバが前記第２のネットワークノードから前記第４のネットワークノードへ実施される、
をさらに備える、請求項２１に記載の第１のネットワークノード。
【請求項２５】
非一時的記憶媒体上に記憶されたプログラムコードを含む非一時的記憶媒体であって、前記プログラムコードは、第１のロケーションソリューションに従ってユーザ機器（ＵＥ）のロケーションをサポートする、ワイヤレスコアネットワーク中の第１のネットワークノード中の少なくとも１つのプロセッサに、
前記ＵＥのための緊急呼のハンドオーバの第１のインジケーションを受信することと、ここにおいて、前記ハンドオーバが、前記ワイヤレスコアネットワーク中の第２のネットワークノードへのまたはそこからのものであり、ここにおいて、前記第２のネットワークノードが、前記第１のロケーションソリューションとは異なる第２のロケーションソリューションに従って前記ＵＥのロケーションをサポートする、
前記ワイヤレスコアネットワーク中の第３のネットワークノードに前記緊急呼の前記ハンドオーバの第２のインジケーションを送ることと、ここにおいて、前記第３のネットワークノードが前記第１のロケーションソリューションをサポートする、ここにおいて、前記緊急呼の前記ハンドオーバの前記第２のインジケーションが、前記第１のロケーションソリューションおよび前記第２のロケーションソリューションをサポートする、
を実施させるように動作可能である、非一時的記憶媒体。
【請求項２６】
前記ワイヤレスコアネットワークが第５世代コアネットワーク（５ＧＣＮ）である、請求項２５に記載の非一時的記憶媒体。
【請求項２７】
前記第１のネットワークノードが、アクセスおよびモビリティ管理機能（ＡＭＦ）またはロケーション管理機能（ＬＭＦ）である、請求項２６に記載の非一時的記憶媒体。
【請求項２８】
前記第２のネットワークノードがＡＭＦである、請求項２７に記載の非一時的記憶媒体。
【請求項２９】
前記第３のネットワークノードが、ゲートウェイモバイルロケーションセンター（ＧＭＬＣ）またはＬＭＦである、請求項２８に記載の非一時的記憶媒体。
【請求項３０】
前記第１のネットワークノードがＡＭＦであり、ここにおいて、前記第３のネットワークノードがＬＭＦであり、ここにおいて、前記ハンドオーバが前記第２のネットワークノードへのものであり、前記プログラムコードは、前記少なくとも１つのプロセッサに、  前記ハンドオーバの前記第１のインジケーションを次世代無線アクセスネットワーク（ＮＧ−ＲＡＮ）から受信することと、
前記第２のネットワークノードへの前記緊急呼の前記ハンドオーバを実施することとをさらに実施させるように動作可能である、請求項２９に記載の非一時的記憶媒体。
【請求項３１】
前記第１のネットワークノードがＡＭＦであり、ここにおいて、前記ハンドオーバが前記第２のネットワークノードからのものであり、前記プログラムコードは、前記少なくとも１つのプロセッサに、
ハンドオーバの前記第１のインジケーションを前記第２のネットワークノードから受信すること
をさらに実施させるように動作可能である、請求項２９に記載の非一時的記憶媒体。
【請求項３２】
前記第１のネットワークノードがＬＭＦであり、ここにおいて、前記第３のネットワークノードがＧＭＬＣであり、ここにおいて、前記ハンドオーバが前記第２のネットワークノードからのものであり、前記プログラムコードは、前記少なくとも１つのプロセッサに、
前記ハンドオーバの前記第１のインジケーションを第４のネットワークノードから受信すること、ここにおいて、前記第４のネットワークノードがＡＭＦであり、ここにおいて、前記第４のネットワークノードが前記第１のロケーションソリューションをサポートし、ここにおいて、前記ハンドオーバが前記第２のネットワークノードから前記第４のネットワークノードへ実施される、
をさらに実施させるように動作可能である、請求項２９に記載の非一時的記憶媒体。
【手続補正２】
【補正対象書類名】明細書
【補正対象項目名】０１０８
【補正方法】変更
【補正の内容】
【０１０８】
[00117]したがって、請求される主題は、開示される特定の例に限定されず、そのような請求される主題はまた、添付の特許請求の範囲内に入るすべての態様とそれらの均等物とを含み得るものとする。
以下に本願の出願当初の特許請求の範囲に記載された発明を付記する。
［Ｃ１］
第１のロケーションソリューションに従ってユーザ機器（ＵＥ）のロケーションをサポートするための、ワイヤレスコアネットワーク中の第１のネットワークノードにおける方法であって、
前記ＵＥのための緊急呼のハンドオーバの第１のインジケーションを受信することと、ここにおいて、前記ハンドオーバが、前記ワイヤレスコアネットワーク中の第２のネットワークノードへのまたはそこからのものであり、ここにおいて、前記第２のネットワークノードが、前記第１のロケーションソリューションとは異なる第２のロケーションソリューションに従って前記ＵＥのロケーションをサポートする、
前記ワイヤレスコアネットワーク中の第３のネットワークノードに前記緊急呼の前記ハンドオーバの第２のインジケーションを送ることと、ここにおいて、前記第３のネットワークノードが前記第１のロケーションソリューションをサポートする、
を備える、方法。
［Ｃ２］
前記ワイヤレスコアネットワークが第５世代コアネットワーク（５ＧＣＮ）である、Ｃ１に記載の方法。
［Ｃ３］
前記第１のネットワークノードが、アクセスおよびモビリティ管理機能（ＡＭＦ）またはロケーション管理機能（ＬＭＦ）である、Ｃ２に記載の方法。
［Ｃ４］
前記第２のネットワークノードがＡＭＦである、Ｃ３に記載の方法。
［Ｃ５］
前記第３のネットワークノードが、ゲートウェイモバイルロケーションセンター（ＧＭＬＣ）またはＬＭＦである、Ｃ４に記載の方法。
［Ｃ６］
前記第１のネットワークノードがＡＭＦであり、ここにおいて、前記第３のネットワークノードがＬＭＦであり、ここにおいて、前記ハンドオーバが前記第２のネットワークノードへのものであり、
前記ハンドオーバの前記第１のインジケーションを次世代無線アクセスネットワーク（ＮＧ−ＲＡＮ）から受信することと、
前記第２のネットワークノードへの前記緊急呼の前記ハンドオーバを実施することとをさらに備える、Ｃ５に記載の方法。
［Ｃ７］
前記第１のネットワークノードがＡＭＦであり、ここにおいて、前記ハンドオーバが前記第２のネットワークノードからのものであり、
ハンドオーバの前記第１のインジケーションを前記第２のネットワークノードから受信すること
をさらに備える、Ｃ５に記載の方法。
［Ｃ８］
前記第１のネットワークノードがＬＭＦであり、ここにおいて、前記第３のネットワークノードがＧＭＬＣであり、ここにおいて、前記ハンドオーバが前記第２のネットワークノードからのものであり、
前記ハンドオーバの前記第１のインジケーションを第４のネットワークノードから受信すること、ここにおいて、前記第４のネットワークノードがＡＭＦであり、ここにおいて、前記第４のネットワークノードが前記第１のロケーションソリューションをサポートし、ここにおいて、前記ハンドオーバが前記第２のネットワークノードから前記第４のネットワークノードへ実施される、
をさらに備える、Ｃ５に記載の方法。
［Ｃ９］
前記緊急呼の前記ハンドオーバの前記第２のインジケーションが、前記第１のロケーションソリューションおよび前記第２のロケーションソリューションをサポートする、Ｃ１に記載の方法。
［Ｃ１０］
第１のロケーションソリューションに従ってユーザ機器（ＵＥ）のロケーションをサポートするための、ワイヤレスコアネットワーク中の第１のネットワークノードであって、前記第１のネットワークノードは、
前記ワイヤレスコアネットワーク中のノードと通信するように構成された外部インターフェースと、
命令を記憶するためのメモリと、
前記外部インターフェースと前記メモリとに結合され、前記ＵＥのための緊急呼のハンドオーバの第１のインジケーションを受信することと、ここにおいて、前記ハンドオーバが、前記ワイヤレスコアネットワーク中の第２のネットワークノードへのまたはそこからのものであり、ここにおいて、前記第２のネットワークノードが、前記第１のロケーションソリューションとは異なる第２のロケーションソリューションに従って前記ＵＥのロケーションをサポートする、前記ワイヤレスコアネットワーク中の第３のネットワークノードに前記緊急呼の前記ハンドオーバの第２のインジケーションを送ることと、ここにおいて、前記第３のネットワークノードが、前記第１のロケーションソリューションをサポートする、を行うように構成された、少なくとも１つのプロセッサと
を備える、第１のネットワークノード。
［Ｃ１１］
前記ワイヤレスコアネットワークが第５世代コアネットワーク（５ＧＣＮ）である、Ｃ１０に記載の第１のネットワークノード。
［Ｃ１２］
前記第１のネットワークノードが、アクセスおよびモビリティ管理機能（ＡＭＦ）またはロケーション管理機能（ＬＭＦ）である、Ｃ１１に記載の第１のネットワークノード。
［Ｃ１３］
前記第２のネットワークノードがＡＭＦである、Ｃ１２に記載の第１のネットワークノード。
［Ｃ１４］
前記第３のネットワークノードが、ゲートウェイモバイルロケーションセンター（ＧＭＬＣ）またはＬＭＦである、Ｃ１３に記載の第１のネットワークノード。
［Ｃ１５］
前記第１のネットワークノードがＡＭＦであり、ここにおいて、前記第３のネットワークノードがＬＭＦであり、ここにおいて、前記ハンドオーバが前記第２のネットワークノードへのものであり、前記ハンドオーバの前記第１のインジケーションが次世代無線アクセスネットワーク（ＮＧ−ＲＡＮ）から受信され、前記少なくとも１つのプロセッサが、前記第２のネットワークノードへの前記緊急呼の前記ハンドオーバを実施するようにさらに構成された、Ｃ１４に記載の第１のネットワークノード。
［Ｃ１６］
前記第１のネットワークノードがＡＭＦであり、ここにおいて、前記ハンドオーバが前記第２のネットワークノードからのものであり、ハンドオーバの前記第１のインジケーションが前記第２のネットワークノードから受信される、Ｃ１４に記載の第１のネットワークノード。
［Ｃ１７］
前記第１のネットワークノードがＬＭＦであり、ここにおいて、前記第３のネットワークノードがＧＭＬＣであり、ここにおいて、前記ハンドオーバが前記第２のネットワークノードからのものであり、前記ハンドオーバの前記第１のインジケーションが第４のネットワークノードから受信され、ここにおいて、前記第４のネットワークノードがＡＭＦであり、ここにおいて、前記第４のネットワークノードが前記第１のロケーションソリューションをサポートし、ここにおいて、前記ハンドオーバが前記第２のネットワークノードから前記第４のネットワークノードへ実施される、Ｃ１４に記載の第１のネットワークノード。
［Ｃ１８］
前記緊急呼の前記ハンドオーバの前記第２のインジケーションが、前記第１のロケーションソリューションおよび前記第２のロケーションソリューションをサポートする、Ｃ１０に記載の第１のネットワークノード。
［Ｃ１９］
第１のロケーションソリューションに従ってユーザ機器（ＵＥ）のロケーションをサポートするための、ワイヤレスコアネットワーク中の第１のネットワークノードであって、前記第１のネットワークノードは、
前記ＵＥのための緊急呼のハンドオーバの第１のインジケーションを受信するための手段と、ここにおいて、前記ハンドオーバが、前記ワイヤレスコアネットワーク中の第２のネットワークノードへのまたはそこからのものであり、ここにおいて、前記第２のネットワークノードが、前記第１のロケーションソリューションとは異なる第２のロケーションソリューションに従って前記ＵＥのロケーションをサポートする、
前記ワイヤレスコアネットワーク中の第３のネットワークノードに前記緊急呼の前記ハンドオーバの第２のインジケーションを送るための手段と、ここにおいて、前記第３のネットワークノードが前記第１のロケーションソリューションをサポートする、
を備える、第１のネットワークノード。
［Ｃ２０］
前記ワイヤレスコアネットワークが第５世代コアネットワーク（５ＧＣＮ）である、Ｃ１９に記載の第１のネットワークノード。
［Ｃ２１］
前記第１のネットワークノードが、アクセスおよびモビリティ管理機能（ＡＭＦ）またはロケーション管理機能（ＬＭＦ）である、Ｃ２０に記載の第１のネットワークノード。
［Ｃ２２］
前記第２のネットワークノードがＡＭＦである、Ｃ２１に記載の第１のネットワークノード。
［Ｃ２３］
前記第３のネットワークノードが、ゲートウェイモバイルロケーションセンター（ＧＭＬＣ）またはＬＭＦである、Ｃ２２に記載の第１のネットワークノード。
［Ｃ２４］
前記第１のネットワークノードがＡＭＦであり、ここにおいて、前記第３のネットワークノードがＬＭＦであり、ここにおいて、前記ハンドオーバが前記第２のネットワークノードへのものであり、
前記ハンドオーバの前記第１のインジケーションを次世代無線アクセスネットワーク（ＮＧ−ＲＡＮ）から受信するための手段と、
前記第２のネットワークノードへの前記緊急呼の前記ハンドオーバを実施するための手段と
をさらに備える、Ｃ２３に記載の第１のネットワークノード。
［Ｃ２５］
前記第１のネットワークノードがＡＭＦであり、ここにおいて、前記ハンドオーバが前記第２のネットワークノードからのものであり、
ハンドオーバの前記第１のインジケーションを前記第２のネットワークノードから受信するための手段
をさらに備える、Ｃ２３に記載の第１のネットワークノード。
［Ｃ２６］
前記第１のネットワークノードがＬＭＦであり、ここにおいて、前記第３のネットワークノードがＧＭＬＣであり、ここにおいて、前記ハンドオーバが前記第２のネットワークノードからのものであり、
前記ハンドオーバの前記第１のインジケーションを第４のネットワークノードから受信するための手段、ここにおいて、前記第４のネットワークノードがＡＭＦであり、ここにおいて、前記第４のネットワークノードが前記第１のロケーションソリューションをサポートし、ここにおいて、前記ハンドオーバが前記第２のネットワークノードから前記第４のネットワークノードへ実施される、
をさらに備える、Ｃ２３に記載の第１のネットワークノード。
［Ｃ２７］
前記緊急呼の前記ハンドオーバの前記第２のインジケーションが、前記第１のロケーションソリューションおよび前記第２のロケーションソリューションをサポートする、Ｃ１９に記載の第１のネットワークノード。
［Ｃ２８］
その上に記憶されたプログラムコードを含む記憶媒体であって、前記プログラムコードは、第１のロケーションソリューションに従ってユーザ機器（ＵＥ）のロケーションをサポートする、ワイヤレスコアネットワーク中の第１のネットワークノード中の少なくとも１つのプロセッサに、
前記ＵＥのための緊急呼のハンドオーバの第１のインジケーションを受信することと、ここにおいて、前記ハンドオーバが、前記ワイヤレスコアネットワーク中の第２のネットワークノードへのまたはそこからのものであり、ここにおいて、前記第２のネットワークノードが、前記第１のロケーションソリューションとは異なる第２のロケーションソリューションに従って前記ＵＥのロケーションをサポートする、
前記ワイヤレスコアネットワーク中の第３のネットワークノードに前記緊急呼の前記ハンドオーバの第２のインジケーションを送ることと、ここにおいて、前記第３のネットワークノードが前記第１のロケーションソリューションをサポートする、
を実施させるように動作可能である、記憶媒体。
［Ｃ２９］
前記ワイヤレスコアネットワークが第５世代コアネットワーク（５ＧＣＮ）である、Ｃ２８に記載の記憶媒体。
［Ｃ３０］
前記第１のネットワークノードが、アクセスおよびモビリティ管理機能（ＡＭＦ）またはロケーション管理機能（ＬＭＦ）である、Ｃ２９に記載の記憶媒体。
［Ｃ３１］
前記第２のネットワークノードがＡＭＦである、Ｃ３０に記載の記憶媒体。
［Ｃ３２］
前記第３のネットワークノードが、ゲートウェイモバイルロケーションセンター（ＧＭＬＣ）またはＬＭＦである、Ｃ３１に記載の記憶媒体。
［Ｃ３３］
前記第１のネットワークノードがＡＭＦであり、ここにおいて、前記第３のネットワークノードがＬＭＦであり、ここにおいて、前記ハンドオーバが前記第２のネットワークノードへのものであり、前記プログラムコードは、前記少なくとも１つのプロセッサに、  前記ハンドオーバの前記第１のインジケーションを次世代無線アクセスネットワーク（ＮＧ−ＲＡＮ）から受信することと、
前記第２のネットワークノードへの前記緊急呼の前記ハンドオーバを実施することとをさらに実施させるように動作可能である、Ｃ３２に記載の記憶媒体。
［Ｃ３４］
前記第１のネットワークノードがＡＭＦであり、ここにおいて、前記ハンドオーバが前記第２のネットワークノードからのものであり、前記プログラムコードは、前記少なくとも１つのプロセッサに、
ハンドオーバの前記第１のインジケーションを前記第２のネットワークノードから受信すること
をさらに実施させるように動作可能である、Ｃ３２に記載の記憶媒体。
［Ｃ３５］
前記第１のネットワークノードがＬＭＦであり、ここにおいて、前記第３のネットワークノードがＧＭＬＣであり、ここにおいて、前記ハンドオーバが前記第２のネットワークノードからのものであり、前記プログラムコードは、前記少なくとも１つのプロセッサに、
前記ハンドオーバの前記第１のインジケーションを第４のネットワークノードから受信すること、ここにおいて、前記第４のネットワークノードがＡＭＦであり、ここにおいて、前記第４のネットワークノードが前記第１のロケーションソリューションをサポートし、ここにおいて、前記ハンドオーバが前記第２のネットワークノードから前記第４のネットワークノードへ実施される、
をさらに実施させるように動作可能である、Ｃ３２に記載の記憶媒体。
［Ｃ３６］
前記緊急呼の前記ハンドオーバの前記第２のインジケーションが、前記第１のロケーションソリューションおよび前記第２のロケーションソリューションをサポートする、Ｃ２８に記載の記憶媒体。